(57)【要約】【課題】  ユーザによる情報処理装置の操作において、作業効率を向上させる。【解決手段】  本発明は、情報処理装置と、ポインティングデバイスとを備えるポインティングシステムに関する。そして、ポインティングデバイスは、ユーザの操作に応じてポインタ制御信号を生成して情報処理装置に与える手段と、ユーザの操作に応じて情報処理装置にポインタ位置制御信号に基づいて上記ポインタに係る制御を行わせるか否かを制御するポインタ制御要否信号を生成して情報処理装置に与える手段とを有することを特徴とする。【選択図】      図１
2009251798.tif 000002
【特許請求の範囲】
【請求項１】
キーボード部とディスプレイ部とを備える情報処理装置のポインタ制御に係る信号を、ユーザの操作に応じて生成し、上記情報処理装置に与えるポインティングデバイスにおいて、
上記ポインタの制御に係るポインタ制御信号を、ユーザの操作に応じて生成して、上記情報処理装置に与えるポインタ制御信号生成手段と、
ポインタ制御信号に基づいた上記ポインタに係る制御を、上記情報処理装置に行わせるか否かを制御するポインタ制御要否信号を、ユーザの操作に応じて生成して、上記情報処理装置に与えるポインタ制御要否信号生成手段と
を有することを特徴とするポインティングデバイス。
【請求項２】
上記ポインタ制御信号生成手段は、ユーザの手及び又は腕に付けるポインタ操作部を有し、上記ポインタ操作部の移動に応じて、ポインタ制御信号を生成することを特徴とする請求項１に記載のポインティングデバイス。
【請求項３】
上記ポインタ制御要否信号生成手段は、ユーザの手及び又は腕に付けるスイッチ部を有し、上記スイッチ部の動作に応じて、ポインタ制御要否信号を生成することを特徴とする請求項１又は２に記載のポインティングデバイス。
【請求項４】
上記ポインタ制御要否信号生成手段は、上記ポインタ制御要否信号により、上記キーボード部におけるキー操作に応じて、上記情報処理装置に上記ポインタに係る制御を行わせるか否かを制御することを特徴とする請求項１〜３のいずれかに記載のポインティングデバイス。
【請求項５】
キーボード部とディスプレイ部とを備える情報処理装置に搭載されたコンピュータを、
上記情報処理装置におけるポインタの位置の制御に係るポインタ制御信号を保持するポインタ制御信号保持手段と、
上記情報処理装置にポインタ制御信号に応じて上記ポインタに係る制御を行わせるか否かを制御するポインタ制御要否信号を保持するポインタ制御要否信号保持手段と、
ポインタ制御信号及びポインタ制御要否信号に応じて、上記ポインタを制御するポインタ制御手段と
して機能させることを特徴とするポインタ制御プログラム。
【請求項６】
上記ポインタ制御信号保持手段は、少なくとも外部のポインティングデバイス、又は、上記キーボード部の一方から、ポインタ制御信号を読込んで保持すること特徴とする請求項５に記載のポインタ制御プログラム。
【請求項７】
上記ポインタ制御要否信号保持手段は、少なくとも外部のポインティングデバイス、又は、上記キーボード部の一方から、ポインタ制御要否信号を読込んで保持することを特徴とする請求項５又は６に記載のポインタ制御プログラム。
【請求項８】
キーボード部とディスプレイ部とを備える情報処理装置と、上記情報処理装置のポインタ制御に係る信号をユーザの操作に応じて生成して上記情報処理装置に与えるポインティングデバイスとを備えるポインティングシステムにおいて、
上記ポインティングデバイスとして、請求項１〜４のいずれかに記載のポインティングデバイスを適用したこと
を特徴とするポインティングシステム。
【発明の詳細な説明】
【技術分野】
【０００１】
本発明は、ポインティングデバイス、ポインタ制御プログラム及びポインティングシステムに関し、例えば、キーボードとディスプレイを備えたパソコンに適用し得る。
【背景技術】
【０００２】
従来、ポインティングデバイスとして、マウス機器を使用するパソコンにおいて、ポインタの操作は、マウス機器自体の移動によって行われるため、机上にはそのためのスペースが必要であった。また、ノートパソコンに代表される小型のコンピュータでは、マウスパッドやジョイスティックが設けられている。すなわち、コンピュータの入力装置において、操作部は文字などの入力を行うキーボードとポインティング入力を行うマウスなどのポインティングデバイスの２つに分かれている。なお、従来のマウスには、入力キーが１つ以上ついており、クリック、ダブルクリックなどの操作をおこなうことが出来る。
【０００３】
また、従来のポインティングデバイスとしては、特許文献１及び特許文献２に記載のキーボードのように、キーボード自体にポインティングデバイスを搭載しているものがある。
【特許文献１】特開２００７−１８４２１号公報
【特許文献２】特開平１１−１９４８８２号公報
【発明の開示】
【発明が解決しようとする課題】
【０００４】
しかしながら、従来のマウスでは、キーボードとマウスを使用するコンピュータへの入力中は、キーボードとマウスの間が離れているため、キーボード入力をしながらポインティング入力も行う場合、手の動きが大きくなり、キー入力作業効率がダウンする。また、従来のジョイスティック、マウスパッドや特許文献１及び２のキーボードを用いた場合でも、普段から使い慣れているマウスの動きと異なるため、操作性に問題があった。さらに、従来のマウスなどのポインティングデバイスによる入力は、特定の指に使用が制限される場合が多く、また動作も単調なため、肉体的に問題となっている事例（指の腱鞘炎など）もある。
【０００５】
そのため、ユーザによる情報処理装置の操作において、作業効率を向上させることができる、ポインティングデバイス、ポインタ制御プログラム及びポインティングシステム
が望まれている。
【課題を解決するための手段】
【０００６】
第１の本発明のポインティングデバイスは、（１）キーボード部とディスプレイ部とを備える情報処理装置のポインタ制御に係る信号を、ユーザの操作に応じて生成し、上記情報処理装置に与えるポインティングデバイスにおいて、（２）上記ポインタの制御に係るポインタ制御信号を、ユーザの操作に応じて生成して、上記情報処理装置に与えるポインタ制御信号生成手段と、（３）ポインタ制御信号に基づいた上記ポインタに係る制御を、上記情報処理装置に行わせるか否かを制御するポインタ制御要否信号を、ユーザの操作に応じて生成して、上記情報処理装置に与えるポインタ制御要否信号生成手段とを有することを特徴とする。
【０００７】
第２の本発明のポインタ制御プログラムは、（１）キーボード部とディスプレイ部とを備える情報処理装置に搭載されたコンピュータを、（２）上記情報処理装置におけるポインタの位置の制御に係るポインタ制御信号を保持するポインタ制御信号保持手段と、（３）上記情報処理装置にポインタ制御信号に応じて上記ポインタに係る制御を行わせるか否かを制御するポインタ制御要否信号を保持するポインタ制御要否信号保持手段と、（４）ポインタ制御信号及びポインタ制御要否信号に応じて、上記ポインタを制御するポインタ制御手段として機能させることを特徴とする。
【０００８】
第３の本発明のポインティングシステムは、（１）キーボード部とディスプレイ部とを備える情報処理装置と、上記情報処理装置のポインタ制御に係る信号をユーザの操作に応じて生成して上記情報処理装置に与えるポインティングデバイスとを備えるポインティングシステムにおいて、（２）上記ポインティングデバイスとして、第１の本発明のポインティングデバイスを適用したことを特徴とする。
【発明の効果】
【０００９】
本発明によれば、ユーザによる情報処理装置の操作において、作業効率を向上させることができる。
【発明を実施するための最良の形態】
【００１０】
（Ａ）第１の実施形態
以下、本発明によるポインティングデバイス、ポインタ制御プログラム及びポインティングシステムの第１の実施形態を、図面を参照しながら詳述する。
【００１１】
（Ａ−１）第１の実施形態の構成
図１は、第１の実施形態のポインティングシステム１の全体構成を示した説明図である。
【００１２】
ポインティングシステム１は、ポインティングデバイス１０、及び、コンピュータ４０を有している。
【００１３】
コンピュータ４０は、例えば、パソコンなどの情報処理装置であり、ポインタ制御部４１、キーボード部４２及びディスプレイ部４３を備えている。図１では、コンピュータ４０はパソコンであるものとして説明する。なお、図１においては省略しているが、コンピュータ４０は、パソコンに必要な他の構成も有しているものとする。
【００１４】
キーボード部は、既存のキーボードと同様のものであるので詳しい説明を省略する。
【００１５】
ディスプレイ部４３は、コンピュータ４０における表示装置であり、既存のディプレイと同様のものであるので詳しい説明を省略する。ディスプレイ部４３は、図１に示すように液晶ディスプレイであっても良いし、ブラウン管やスクリーンに投影するものであっても良く、表示する方式は限定されないものである。
【００１６】
ポインタ制御部４１は、ポインティングデバイス１０などから与えられる信号に基づいて、ディスプレイ部４３に表示されるポインタに係る制御を行うものである。また、ポインタ制御部４１は、コンピュータ４０における情報処理部（情報処理装置）に、実施形態のポインタ制御プログラムをインストールすることにより実現しても良い。なお、ポインタ制御部４１の詳細については後述する。
【００１７】
図２は、ポインティングデバイス１０の詳細構成について示した説明図である。
【００１８】
ポインティングデバイス１０は、ユーザの操作に応じて、コンピュータ４０にポインタの制御に係る信号を与えるものである。ポインティングデバイス１０は、ポインタ操作部２０、及び、ポインタ操作部２０の機能を有効にするスイッチ部３０を有している。
【００１９】
図２（ａ）は、ポインタ操作部２０の外観の形状の例について示した斜視図である。図２（ｂ）は、ポインタ操作部２０の底面の構造の例について示した説明図である。図２（ｃ）は、スイッチ部３０の外観の形状の例について示した斜視図である。図２（ｄ）は、スイッチ部３０の底面の構造の例について示した説明図である。
【００２０】
ポインタ操作部２０は、ユーザの手又は腕などに付け、ユーザの操作に応じて、コンピュータ４０に、ポインタの位置を制御する信号（以下、「ポインタ位置制御信号」という）を与えるものであり、ハンドレスト部２３、変位センサ２１及び出力ポート２２を有する。図２においては、ハンドレスト部２３の底面に、変位センサ２１及び出力ポート２２が付けられているが、ハンドレスト部２３の側面などに搭載するようにしてもよく、ハンドレスト部２３において、変位センサ２１及び出力ポート２２を搭載する位置は限定されないものである。
【００２１】
ハンドレスト部２３は、ユーザがキーボードなどの入力装置を用いた入力作業を行なう時に、上面にユーザの手、手首、腕などを乗せられるようになっており、ユーザの疲労軽減を図るものである。ハンドレスト部２３は、既存のハンドレストを用いて実現しても良い。なお、ユーザの手又は腕と、ハンドレスト部２３とは、例えば、ユーザの手根部とハンドレスト部２３とをベルトなどにより固定しても良いし、単に載せさせるだけでも良く、ユーザの手又は腕とハンドレスト部２３とを付ける方法は限定されないものである。
【００２２】
また、図１及び図２においては、ハンドレスト部２３の形状は、直方体状となっているが、例えば、楕円柱状などの形状であっても良く、形状は限定されないものである。また、ハンドレスト部２３は、ユーザの手又は腕など載せて動かしやすい形状としても良い。例えば、ハンドレスト部２３上面を、ユーザの手又は腕などを載せて動かしやすい凹面状としても良い。
【００２３】
さらに、ハンドレスト部２３は、底面を摩擦抵抗が少なく、滑りやすい素材を用いても良い。
【００２４】
変位センサ２１は、ユーザの手によりハンドレスト部２３が移動すると、その変位を感知して計測し、計測結果に基づいて上述のポインタ位置制御信号を生成して、出力ポート２２を介して、コンピュータ４０に与えるものである。変位センサ２１は、例えば、既存のマウスが有する、変位を感知するためのボールを用いた変位センサ、又は、光学式の変位センサにより実現しても良いし、既存の加速度センサなどを用いて実現しても良く、変位を感知する方法は限定されないものである。
【００２５】
出力ポート２２は、変位センサ２１から与えられた、ポインタ位置制御信号を、コンピュータ４０に与える。出力ポート２２と、コンピュータ４０の間の接続は、有線または無線であっても良く、その接続する構成は限定されないものである。
【００２６】
スイッチ部３０は、ユーザの手又は腕などに付け、ユーザの操作に応じて、コンピュータ４０に、ポインタ位置制御信号に応じてポインタの制御を行わせるか否かを制御する信号（以下、「スイッチ信号」という）を与えるものであり、スイッチ３１、出力ポート３２、ハンドレスト部３３を有している。
【００２７】
ハンドレスト部３３は、ハンドレスト部２３とほぼ同様のものであるので詳しい説明を省略し、ハンドレスト部２３との差異についてのみ説明する。なお、ハンドレスト部２３と同様に、ハンドレスト部３３の形状は図２（ｃ）、（ｄ）に示すものに限定されない。
【００２８】
ハンドレスト部３３は、ユーザが後述するスイッチ３１を操作しやすい形状としても良い。例えば、図２では、ハンドレスト部３３の底面に凸面を設け、ユーザがハンドレスト部３３を左右いずれかに傾けるかに応じて、スイッチ３１を操作（押下、又は、解放）できるように、凸面及びスイッチ３１を配置している。また、図２にでは、ハンドレスト部３３底面における凸面の頂点は中央になっているが、左右いずれかに偏った位置としてもよい。また、図２では、ハンドレスト部３３の底面を凸面状にしているが、突起を設けることにより、ユーザが後述するスイッチ３１を操作しやすくしても良い。
【００２９】
スイッチ３１は、そのスイッチの押下・解放に応じて、上述のスイッチ信号を生成して、出力ポート３２に与えるものであり、図２では、ハンドレスト部３３の底面に付けられている。
【００３０】
以降の説明において、スイッチ３１が押下された状態を「ＯＮ状態」、スイッチが解放（押下されていない）されている状態を「ＯＦＦ状態」として説明するが、ＯＮ／ＯＦＦ状態を逆に設定しても良い。また、以降の説明において、スイッチ３１がＯＮ状態の場合に、ポインタ操作部２０の機能を有効にするものとし、ＯＦＦ状態の場合にポインタ操作部２０の機能を無効にするものとして説明する。
【００３１】
出力ポート３２は、スイッチ３１の状態に係る情報をコンピュータ４０に与えるものである。出力ポート３２と、コンピュータ４０の間の接続は、有線または無線であっても良く、その接続する構成は限定されないものである。
【００３２】
次に、ポインタ制御部４１の詳細について説明する。
【００３３】
ポインタ制御部４１は、スイッチ部３０から与えられるスイッチ信号が、「ＯＮ状態」を示している間は、ポインタ操作部２０から与えられるポインタ位置制御信号に応じて、コンピュータ４０におけるポインタの位置を制御する、また、スイッチ部３０から与えられるスイッチ信号が、「ＯＦＦ状態」を示している間は、ポインタ操作部２０からポインタ位置制御信号が与えられても、その信号に基づいてポインタの位置を制御は行わない。
【００３４】
（Ａ−２）第１の実施形態の動作
次に、以上のような構成を有する第１の実施形態のポインティングシステム１の動作を説明する。まず、ポインティングデバイス１０の動作について説明した後に、ポインタ制御部４１（コンピュータ４０）における具体的な処理について説明する。
【００３５】
図３は、ポインティングデバイス１０の動作時の状態について示した説明図である。図３（ａ）は、スイッチ３１が「ＯＦＦ」状態の場合、すなわち、ポインタ操作部２０の機能が無効になっている状態におけるポインティングシステム１を示しており、図３（ｂ）は、スイッチ３１が「ＯＮ」状態の場合、すなわち、ポインタ操作部２０の機能が有効になっている状態におけるポインティングデバイス１０を示している。
【００３６】
図３（ａ）及び（ｂ）においては、ポインタ操作部２０およびスイッチ部３０の上面にはそれぞれ、ユーザの手２０１、２０２の手根部当たりが置かれているものとする。また、ポインタ操作部２０及びスイッチ部３０と、ユーザの手２０１、２０２は何らかの方法で固定されているものとする。また、ユーザの手２０２の動きに合わせて、ポインタ操作部２０は容易に動くようになっているものとする。
【００３７】
図３（ａ）の状態においては、スイッチ部３０のスイッチ３１がＯＦＦ状態になっており、手２０２の移動に伴ってポインタ操作部２０が移動したとしても、コンピュータ４０上においてポインタは移動しない。
【００３８】
そして、図３（ａ）の状態において、ユーザの操作（手２０１）により、スイッチ部３０においてスイッチ３１がＯＮ状態になると、スイッチ部３０からコンピュータ４０にＯＮ状態である旨の信号が与えられ、ポインタ操作部２０の移動に応じてコンピュータ４０上においてポインタも移動する状態、すなわち、図３（ｂ）の状態に遷移する。
【００３９】
次に、コンピュータ４０（ポインタ制御部４１）における、ポインティングデバイス１０から与えられる信号に応じた動作について説明する。
【００４０】
図４は、コンピュータ４０におけるポインタ制御部４１の動作について示したフローチャートである。
【００４１】
なお、図４では、初期においてポインティングデバイス１０のスイッチ部３０は「ＯＦＦ状態」であるものとして説明する。
【００４２】
まず、ポインタ制御部４１では、ポインタ操作部２０からコンピュータ４０に与えられているスイッチ信号が確認され（Ｓ１０１）、「ＯＮ状態」に遷移したか否かが確認され、「ＯＮ状態」の場合には、後述するステップＳ１０３から動作し、「ＯＦＦ状態」の場合には、ステップＳ１０１に戻って動作する（Ｓ１０２）。
【００４３】
上述のステップＳ１０２において、スイッチ信号が「ＯＮ状態」であった場合、すなわち、スイッチ部３０の状態が「ＯＦＦ状態」から「ＯＮ状態」に遷移したことを検知した場合には、コンピュータ４０（ポインタ制御部４１）において、ポインタ操作部２０から与えられるポインタ位置制御信号に応じてポインタの位置を制御可能になるように設定される（Ｓ１０３）。
【００４４】
次に、ポインタ制御部４１では、ポインタ操作部２０からコンピュータ４０に与えられているスイッチ信号が、「ＯＦＦ状態」に遷移したか否かが確認され（Ｓ１０４）、「ＯＦＦ状態」の場合には、後述するステップＳ１０６から動作し、「ＯＮ状態」の場合には、ステップＳ１０５に戻って動作する（Ｓ１０５）。
【００４５】
上述のステップＳ１０５において、スイッチ状態が「ＯＦＦ状態」であった場合、すなわち、すなわち、スイッチ部３０の状態が「ＯＮ状態」から「ＯＦＦ状態」に遷移したことを検知した場合には、コンピュータ４０（ポインタ制御部４１）において、ポインタ操作部２０から与えられるポインタ位置制御信号が与えられたとしても、その信号に応じてポインタの位置を制御しないように設定され（Ｓ１０６）、上述のステップＳ１０１に戻って動作する。
【００４６】
（Ａ−３）第１の実施形態の効果
第１の実施形態によれば、以下のような効果を奏することができる。
【００４７】
従来のマウスはつかむことで操作する必要があったが、第１の実施例ではポインタ操作部を手でつかむことなくユーザの手の動きに合わせて操作できるので、キーボードを操作する指を活かした状態で、従来のマウスと同じ手の動きでポインタ操作をおこなうことが出来るため、ユーザの作業効率が向上するという効果を奏する。
【００４８】
またポインタ操作部とスイッチ側は各々が独立しているため、ポインタ操作部を利き腕に容易に設定することが可能になる。ユーザは、利き腕でポインタ操作部を操作することにより、作業効率を向上するという効果を奏する。
【００４９】
（Ｂ）第２の実施形態
以下、本発明によるポインティングデバイス、ポインタ制御プログラム及びポインティングシステムの第２の実施形態を、図面を参照しながら詳述する。
【００５０】
（Ｂ−１）第２の実施形態の構成
図５は、第２の実施形態のポインティングシステム１Ａの全体構成を示すブロック図である。
【００５１】
ポインティングシステム１Ａは、ポインタ操作部２０、スイッチ部３０、コンピュータ４０Ａを有している。ポインタ操作部２０、スイッチ部３０については、第１の実施形態と同様のものであるので詳しい説明は省略する。
【００５２】
コンピュータ４０Ａは、ポインタ制御部４１Ａ、キーボード部４２及びディスプレイ部４３を有しており、ポインタ操作部２０、スイッチ部３０と接続している。なお、キーボード部４２及びディスプレイ部４３は、第１の実施形態と同様のものであるので詳しい説明を省略する。
【００５３】
ポインタ制御部４１Ａにおいて、ポインタの位置に係る制御については、第１の実施形態と同様に、ポインタ操作部２０、スイッチ部３０から与えられる信号に応じて行われるので詳しい説明を省略する。
【００５４】
また、ポインタ制御部４１Ａは、キーボード部４２において、押下されたキーに応じて、既存のマウスなどのポインティングデバイスにおけるボタンの押下に相当するイベントを、コンピュータ４０Ａに実行させる。この実施形態では、例として、キーボード部４２には、既存のマウスにおける「左クリック」、「右クリック」などに対応するイベントをコンピュータ４０Ａに実行させるものとして説明する。
【００５５】
例えば、ポインタ制御部４１Ａにおいて、キーボード部４２の「Ａ」のキーを「右クリック」、「Ｂ」のキーを「左クリック」にそれぞれ割り当てる設定がされていた場合、キーボード部４２において、「Ａ」のキーが押下され、その信号がコンピュータ４０Ａに与えられると、ポインタ制御部４１Ａは、既存のマウスの「右クリック」に対応するイベントをコンピュータ４０Ａに実行させる。また、「右クリック」、「左クリック」以外にも「左ダブルクリック」など、既存のマウスにおける他の操作について、キーを割り当てるように設定しても良い。
【００５６】
なお、ポインタ制御部４１Ａでは、キーボード部４２におけるホットキー（例えば、「Ａ＋ｃｔｒｌ」など複数のキーの組み合わせが同時に押下された場合）についても、既存マウスの操作を割り当てるようにしても良い。また、既存のマウスにおける一つの操作について複数のキーを割り当てるようにしても良い。
【００５７】
また、ポインタ制御部４１Ａでは、スイッチ部３０から、「ＯＮ状態」である旨の信号が与えられている間のみ、キーボード部４２におけるキーの押下に応じて、上述の既存のマウスにおけるイベントを実行するようにしても良い。
【００５８】
（Ｂ−２）第２の実施形態の動作
次に、以上のような構成を有する第２の実施形態のポインティングシステム１Ａの動作を説明する。なお、ポインティングデバイス１０に係る動作は、第１の実施形態と同様であるので説明を省略する。
【００５９】
図６は、コンピュータ４０Ａにおけるポインタ制御部４１Ａの動作について示したフローチャートである。なお、図６では、初期においてポインティングデバイス１０のスイッチ部３０は「ＯＦＦ状態」であるものとして説明する。
【００６０】
まず、ポインタ制御部４１Ａでは、ポインタ操作部２０からコンピュータ４０Ａに与えられているスイッチ信号が確認され（Ｓ２０１）、「ＯＮ状態」に遷移したか否かが確認され、「ＯＮ状態」の場合には、後述するステップＳ２０３から動作し、「ＯＦＦ状態」の場合には、ステップＳ２０１に戻って動作する（Ｓ２０２）。
【００６１】
上述のステップＳ２０２において、スイッチ信号が「ＯＮ状態」であった場合、すなわち、スイッチ部３０の状態が「ＯＦＦ状態」から「ＯＮ状態」に遷移したことを検知した場合には、コンピュータ４０Ａ（ポインタ制御部４１Ａ）において、ポインタ操作部２０から与えられるポインタ位置制御信号に応じてポインタの位置を制御可能になるように設定され、さらに、キーボード部４２から与えられる信号に応じて、ポインタにおけるクリックに係る動作を行うように設定される。（Ｓ２０３）。
【００６２】
次に、ポインタ制御部４１Ａでは、ポインタ操作部２０からコンピュータ４０Ａに与えられているスイッチ信号が、「ＯＦＦ状態」に遷移したか否かが確認され（Ｓ２０４）、「ＯＦＦ状態」の場合には、後述するステップＳ２０６から動作し、「ＯＮ状態」の場合には、ステップＳ２０５に戻って動作する（Ｓ２０５）。
【００６３】
上述のステップＳ２０５において、スイッチ状態が「ＯＦＦ状態」であった場合、すなわち、すなわち、スイッチ部３０の状態が「ＯＮ状態」から「ＯＦＦ状態」に遷移したことを検知した場合には、コンピュータ４０Ａ（ポインタ制御部４１Ａ）において、ポインタ操作部２０及びキーボード部４２から与えられる信号に応じて、ポインタに係る制御を行わないように設定され（Ｓ２０６）、上述のステップＳ２０１に戻って動作する。
【００６４】
（Ｂ−３）第２の実施形態の効果
第２の実施形態によれば、以下のような効果を奏することができる。
【００６５】
キーボード部４２に予め割り振られた（ダブルクリックなどの）マウスの操作をキーボード部４２上により一度のキー押下でおこなうことが可能になり、操作性や作業効率が向上するという効果を奏する。例えば、従来のマウスでは、ダブルクリックする場合は２回クリックする必要があるが、第２の実施形態のポインティングシステム１Ａでは、キーボード部４２における一度のキー押下だけで良いことになる。
【００６６】
ポインタ制御部４１Ａに設定する内容を変更するだけで、キーボード部４２におけるどのキーに、既存のマウスのどの操作を割り当てるかを設定することができるので、特定の指への負担を低減できるという効果を奏する。例えば、従来のマウスにおいては、左クリックと右クリックをするために、人先指と中指に負担がかかっていたが、第２の実施形態では、ユーザがキーボード部４２のキーを任意に割り当てることができるので、人先指と中指以外の指も用いて、左クリックや右クリックに相当する操作を行うことができる。
【００６７】
（Ｃ）他の実施形態
本発明は、上記の各実施形態に限定されるものではなく、以下に例示するような変形実施形態も挙げることができる。
【００６８】
（Ｃ−１）第２の実施形態においては、ポインティングシステム１は、ポインティングデバイス１０を有しているが、ポインティングデバイス１０を省略して、キーボード部４２のみで、コンピュータ４０Ａにおけるポインタの操作を行うようにしても良い。例えば、スイッチ部３０のスイッチ３１に相当するキーをキーボード部４２に割り当てても良い。また、ポインタ操作部２０からコンピュータ４０Ａに与えられるポインタ位置制御信号に相当する信号を、キーボード部４２によりユーザに入力させるようにしても良い。キーボード部４２を用いたポインタ位置制御信号の入力は、例えば、ポインタの上下左右の方向のそれぞれの移動について、キーボード部４２におけるキーを割り当てるようにしても良い。
【００６９】
（Ｃ−２）上記の各実施形態においては、ポインティングデバイスにおける、ポインタ操作部及びスイッチ部は、それぞれハンドレスト部に変位センサやスイッチなどを搭載するようにしていたが、同様の形状のものに搭載されていれば、ハンドレストであることに限定されないものである。
【００７０】
（Ｃ−３）上記の各実施形態においては、コンピュータ４０，４０Ａは、例えばパソコンであるものとして説明したが、ワードプロセッサや、ゲーム専用機器などの他の情報処理装置であっても良く、情報処理装置としての種類は限定されないものである。
【図面の簡単な説明】
【００７１】
【図１】第１の実施形態に係る、ポインティングシステムの全体構成を示した説明図である。
【図２】第１の実施形態に係る、ポインティングデバイスの詳細構成について示した説明図である。
【図３】第１の実施形態に係る、ポインティングデバイスの動作時の状態について示した説明図である。
【図４】第１の実施形態に係る、ポインタ制御部の動作について示したフローチャートである。
【図５】第２の実施形態に係る、ポインティングシステムの全体構成を示す説明図である。
【図６】第２の実施形態に係るポインタ制御部の動作について示したフローチャートである。
【符号の説明】
【００７２】
１…ポインティングシステム、１０…ポインティングデバイス、２０…ポインタ操作部、２１…変位センサ、２２…出力ポート、２３…ハンドレスト部、３０…スイッチ部、３１…スイッチ、３２…出力ポート、３３…ハンドレスト部、４０…コンピュータ（情報処理装置）、４１…ポインタ制御部、４２…キーボード部、４３…ディスプレイ部。
【図１】
2009251798.tif 000003
【図２】
2009251798.tif 000004
【図３】
2009251798.tif 000005
【図４】
2009251798.tif 000006
【図５】
2009251798.tif 000007
【図６】
2009251798.tif 000008